(57)【要約】【課題】目的のキャリア（搬送波）が存在しない周波数帯域の受信信号を受信した場合や受信状態が良好でない場合であっても、ノイズが出力されない受信装置を提供する。【解決手段】第１復調器１３Ａ内にキャリア検出回路２２及びミュート回路２３を設けた。そして、キャリア検出回路２２は、キャリア（搬送波）が無い又は受信状態が良好でないために受信した受信信号が非常に弱いと判断した場合、ミュート回路２３を活性化するミュート制御信号Ｓｍを出力して、スピーカシステムに如何なる信号を供給しないようにミュート処理を行うようにした。【選択図】図２
2008042760.tif 000002
【特許請求の範囲】
【請求項１】
受信信号を、所定の信号処理を施した処理後の信号の強度に応じて増幅する増幅器と、前記受信信号を復調する復調器とを備えた受信装置において、
前記復調器によって前記受信信号を復調した復調信号の信号強度と、キャリアが存在しない無線信号を復調した場合の復調信号の信号強度との比較結果に基づいて、前記受信した無線信号のキャリアの有無を検出するキャリア検出回路と、
前記キャリア検出回路によって前記受信信号にキャリアが無いと判断された場合、前記増幅器によって増幅された信号をミュート処理するミュート回路と
を備えたことを特徴とする受信装置。
【請求項２】
請求項１に記載の受信装置において、
前記キャリア検出回路は、
前記キャリアが存在しない無線信号を復調した場合の復調信号の信号強度よりも小さい前記復調信号の信号強度を有した前記受信信号を入力した入力数をカウントする第１カウンタと、
前記キャリアが存在しない無線信号を復調したときの復調信号の信号強度よりも小さい前記復調信号の信号強度を有した前記受信信号を所定期間内に連続して入力した入力数をカウントする第２カウンタと、を備え、
前記第２カウンタのカウント値が予め設定された設定カウント値になったときに前記増幅器によって増幅された信号をミュート処理するようにしたことを特徴とする受信装置。
【請求項３】
請求項１または２に記載の受信装置において、
前記復調器は、受信した前記受信信号を複数の復調モードでそれぞれ復調することを特徴とする受信装置。
【請求項４】
請求項３に記載の受信装置において、
前記複数の復調モードは、ＦＭ復調モード及びＡＭ復調であることを特徴とする受信装置。
【発明の詳細な説明】
【技術分野】
【０００１】
本発明は、受信装置に関する。
【背景技術】
【０００２】
一般に、テレビ等に搭載された受信装置においては、アンテナを通して受信した受信信号のなかから所望の周波数帯域のキャリア（搬送波）の放送波を選択し、その選択された放送波から音声信号と映像信号とをそれぞれ別々の復調回路によって復調するようにしている。そして、音声信号は、プログラマブルゲインコントロール増幅器（ＰＧＡ）を通して所定の強度範囲の信号に増幅されるようになっている（例えば、特許文献１参照）。その後、アナログ・デジタル変換回路（Ａ／Ｄ変換器）によってデジタル信号化され、続いて、各種フィルタを介して波形整形された後、復調回路によって復調されている。
【特許文献１】特開２００５−２７０５６号公報
【発明の開示】
【発明が解決しようとする課題】
【０００３】
ところで、前記プログラマブルゲインコントロール増幅器（ＰＧＡ）では、ゲイン値調整がデジタル音声信号の電界強度に基づいてフィードバック制御される。そして、このフィードバック制御によって、デジタル音声信号の強度が小さければゲイン値を高くし、大きければゲイン値を低くなるように制御するようになっている。
【０００４】
従って、目的のキャリア（搬送波）が存在しない周波数帯域の放送波や放送波の受信状態が良好でない場合では、デジタル音声信号の強度が非常に小さくなることから、プログラマブルゲインコントロール増幅器（ＰＧＡ）のゲイン値は非常に高い値に設定される。この結果、復調回路によって復調される信号はノイズとなるため、大きなノイズが出力されて耳障りな音が発せられてしまうという問題があった。
【０００５】
本発明は、このような事情に鑑みてなされたものであって、目的のキャリア（搬送波）が存在しない周波数帯域の放送波を受信した場合や放送波の受信状態が良好でない場合であっても、ノイズが出力されない受信装置を提供することを目的とする。
【課題を解決するための手段】
【０００６】
上記課題を解決するために、本発明に係る受信装置は、受信信号を、所定の信号処理を施した処理後の信号の強度に応じて増幅する増幅器と、前記受信信号を復調する復調器とを備えた受信装置において、前記復調器によって前記受信信号を復調した復調信号の信号強度と、キャリアが存在しない無線信号を復調した場合の復調信号の信号強度との比較結果に基づいて、前記受信した無線信号のキャリアの有無を検出するキャリア検出回路と、前記キャリア検出回路によって前記受信信号にキャリアが無いと判断された場合、前記増幅器によって増幅された信号をミュート処理するミュート回路とを備えたことを特徴とする。
【０００７】
この発明によれば、復調器によって復調された復調信号の振幅強度が、キャリア（搬送波）が存在しない受信信号を復調した信号の振幅強度よりも小さい場合、キャリア検出回路はキャリア検出回路にてキャリア（搬送波）が無いと判断し増幅器によって増幅された信号はミュート処理される。従って、キャリア（搬送波）が無い、又は受信状態が良好でないために受信した受信信号が非常に弱い場合、ノイズを出力しない受信装置を実現することができる。
【０００８】
請求項２に記載の発明は、請求項１に記載の受信装置において、前記キャリア検出回路は、前記キャリアが存在しない無線信号を復調した場合の復調信号の信号強度よりも小さい前記復調信号の信号強度を有した前記受信信号を入力した入力数をカウントする第１カウンタと、前記キャリアが存在しない無線信号を復調したときの復調信号の信号強度よりも小さい前記復調信号の信号強度を有した前記受信信号を所定期間内に連続して入力した入力数をカウントする第２カウンタと、を備え、前記第２カウンタのカウント値が予め設定された設定カウント値になったときに前記増幅器によって増幅された信号をミュート処理するようにしたことを特徴とする。
【０００９】
この発明によれば、第１カウンタのカウント値は前記キャリアが存在しない無線信号を受信する頻度を示し、第２カウンタのカウント値は前記キャリアが存在しない無線信号をどれだけの期間連続して受信したかを示す。従って、この頻度と連続性に基づいてミュート処理がなされることから、キャリアの有無を適切に判断することができる。
【００１０】
請求項３に記載の発明は、請求項１または２に記載の受信装置において、前記復調器は、受信した前記受信信号を複数の復調モードでそれぞれ復調することを特徴とする。
【００１１】
この発明によれば、一つの受信装置で異なった変調モードで変調された各受信信号を、キャリア（搬送波）が無い又は受信状態が良好でないために受信した受信信号が非常に弱い場合ではノイズを出力することなく、復調することができる。
【００１２】
請求項４に記載の発明は、請求項３に記載の受信装置において、前記複数の復調モードは、ＦＭ復調モード及びＡＭ復調モードであることを特徴とする。
【発明の効果】
【００１３】
請求項１〜４に記載の発明によれば、キャリア（搬送波）が無い、又は受信状態が良好でないために受信した受信信号波が非常に弱い場合には、ノイズを出力しない受信装置を実現することができる。
【発明を実施するための最良の形態】
【００１４】
以下、本発明の受信装置をテレビに搭載された受信装置に具体化した一実施形態を図面に従って説明する。
【００１５】
図１に示すように、本実施形態に係る受信装置１０は、増幅器としてのプログラマブルゲインコントロール増幅器（以下、「ＰＧＡ」という）１１、アナログ・デジタル変換回路（以下、「Ａ／Ｄ変換器」という）１２、第１復調器１３Ａ及び第２復調器１３Ｂを備えている。
【００１６】
ＰＧＡ１１は、公知の自動増幅回路であって、図示しないアンテナを通して受信した受信信号としての音声波ＳＩＦを入力する。この音声波ＳＩＦは、所定の周波数帯域のキャリア（搬送波）に音声信号が乗った信号である。ＰＧＡ１１は、入力した音声波ＳＩＦをその電界強度が所定の強度範囲に収まるように増幅する。本実施形態のＰＧＡ１１は、後段のＡ／Ｄ変換器１２から出力されるデジタル音声波ＳＩＦｏの電界強度に基づいてゲイン値Ｇａを算出するようにしている。そして、デジタル音声波ＳＩＦｏの強度が大きければ小さなゲイン値Ｇａで、また、デジタル音声波ＳＩＦｏの強度が小さければ大きなゲイン値Ｇａで音声波ＳＩＦを増幅することで音声波ＳＩＦの電界強度を所定の強度範囲に収まるように増幅する。
【００１７】
Ａ／Ｄ変換器１２は、ＰＧＡ１１によって増幅された音声波ＳＩＦをデジタル信号に変換してデジタル音声波ＳＩＦｏを生成するとともに、該デジタル音声波ＳＩＦｏを後段の
第１及び第２復調器１３Ａ，１３Ｂへそれぞれ出力する。
【００１８】
第１復調器１３Ａは、デジタル音声波ＳＩＦｏに基づいて音声信号をＡＭ復調又はＦＭ復調するとともに、復調した音声信号が予め設定された強度未満である場合にはミュート処理を行う。第２復調器１３Ｂは、デジタル音声波ＳＩＦｏに基づいて音声信号をＦＭ復調又はＤＱＰＳＫ復調するとともに、復調した音声信号が予め設定された強度未満である場合にはミュート処理を行う。尚、第２復調器１３ＢにてＦＭ復調する際には、第１復調器１３Ａに設けられた内部回路の一部と協働して復調処理されるようになっている。
【００１９】
そして、各第１復調器１３Ａ及び第２復調器１３Ｂにて生成された復調信号は、図示しないスピーカシステムに供給されるようになっている。
【００２０】
図２は、第１復調器１３Ａの内部構成を説明するためのブロック回路図である。図２に示すように、第１復調器１３Ａは、ミキサ１５、ＣＩＣ（Cascaded Integrated Comb）フィルタ１６ａ，１６ｂ、オートゲインコントロール増幅器（以下、「ＡＧＣ増幅器という」）１７ａ，１７ｂ，１７ｃ，１７ｄ、ＦＩＲ（Finite Impulse Response）フィルタ１
８ａ，１８ｂ、コーディック演算器１９を備えている。また、第１復調器１３Ａは、微分回路２０、復調モード切替回路２１、復調モード制御部２１ａ、キャリア検出回路２２、ミュート回路２３、ダウンサンプリング回路２４ａ、２４ｂ、直流検出回路２５、直流除去回路２６、ディエンファシス回路２７、プリスケール・ミュート回路２８及びデマトリクス回路２９を備えている。
【００２１】
ミキサ１５は、前記Ａ／Ｄ変換器１２によってデジタル処理されたデジタル音声波ＳＩＦｏを入力し、実数成分の信号Ｉと虚数成分の信号Ｑに分離する。そして、実数成分の信号Ｉは、ＣＩＣフィルタ１６ａ→ＡＧＣ増幅器１７ａ→ＦＩＲフィルタ１８ａ→ＡＧＣ増幅器１７ｂの順に通過されることによって所定の利得帯域の信号に波形整形され、その後、後段のコーディック演算器１９に送信される。同様に、ミキサ１５から出力された虚数成分の信号Ｑは、ＣＩＣフィルタ１６ｂ→ＡＧＣ増幅器１７ｃ→ＦＩＲフィルタ１８ｂ→ＡＧＣ増幅器１７ｄの順に通過させることによって所定の利得帯域の信号に波形整形され、その後、後段のコーディック演算器１９に送信される。
【００２２】
コーディック演算器１９は公知の演算回路であって、波形整形された実数成分の信号Ｉと波形整形された虚数成分の信号Ｑに基づいて、音声波ＳＩＦ（デジタル音声波ＳＩＦｏ）の位相成分の信号ＳＰと振幅成分の信号ＳＡを算出する。つまり、位相成分の信号ＳＰは音声信号及びキャリア（搬送波）の位相成分を有した信号であり、振幅成分の信号ＳＡは音声信号及びキャリア（搬送波）の振幅成分を有した信号である。
【００２３】
そして、位相成分の信号ＳＰは微分回路２０に送信されるとともに、振幅成分の信号ＳＡは復調モード切替回路２１及びキャリア検出回路２２へ送信される。
【００２４】
微分回路２０は、入力された位相成分の信号ＳＰと、該信号ＳＰよりも先の時刻に入力された信号ＳＰとの差分値に応じた信号ＳＦを出力する。受信された音声波ＳＩＦがＦＭ変調である場合、入力された位相成分の信号ＳＰと該信号ＳＰよりも先の時刻に入力された信号ＳＰとの差分値は音声信号に対応することから、微分回路２０を通すことによって音声波ＳＩＦはＦＭ復調されることとなる。そして、このＦＭ復調された音声信号ＳＦは、復調モード切替回路２１に出力される。
【００２５】
復調モード切替回路２１は、受信した音声波ＳＩＦを、ＡＭ復調モードで復調するか又はＦＭ復調モードで復調するかを切り替え制御する回路であって、復調モード制御部２１ａから出力される切替制御信号Ｓｋによってどちらのモードで制御されるかが選択される
ようになっている。尚、本実施形態の復調モード制御部２１ａは、図示しない外部装置から供給される外部信号に応じてＡＭ復調モードの旨の切替制御信号Ｓｋを出力するか、又は、ＦＭ復調モードの旨の切替制御信号Ｓｋを出力するかが決定されるようになっている。
【００２６】
そして、ＦＭ復調モードに設定された場合では、復調モード切替回路２１は、コーディック演算器１９から出力された振幅成分の信号ＳＡを遮断し、微分回路２０にて復調された音声信号ＳＦを後段のミュート回路２３に送信する。そして、音声信号ＳＦは、ミュート回路２３、ダウンサンプリング回路２４ａ，２４ｂ、直流除去回路２６、ディエンファシス回路２７、プリスケール・ミュート回路２８、デマトリクス回路２９をそれぞれ通して所定の利得帯域の信号に波形整形され、外部のスピーカシステムに出力される。
【００２７】
一方、復調モード切替回路２１がＡＭ復調モードに設定された場合では、復調モード切替回路２１は、音声信号ＳＦを遮断し振幅成分の信号ＳＡを後段のミュート回路２３に送信する。尚、振幅成分の信号ＳＡは、前述したように、音声信号及びキャリア（搬送波）の振幅成分を有しており、ＡＭ復調モードにおいては、受信した音声信号の振幅成分に比例したものである。
【００２８】
そして、振幅成分の信号ＳＡは、ミュート回路２３、ダウンサンプリング回路２４ａ，２４ｂ、直流検出回路２５、直流除去回路２６、ディエンファシス回路２７、プリスケール・ミュート回路２８、デマトリクス回路２９を介してキャリア（搬送波）の振幅成分が除去されるとともに所定の利得帯域の信号に波形整形されることによってＡＭ復調される。そして、そのＡＭ復調された信号は、外部のスピーカシステムに出力される。
【００２９】
ミュート回路２３は、キャリア検出回路２２からのミュート制御信号Ｓｍに従って活性化又は非活性化される。Ｈレベルのミュート制御信号Ｓｍが供給されるとミュート回路２３が活性化され、後段のダウンサンプリング回路２４ａに如何なる信号を通過させないようにミュート処理を行う。そして、ミュート処理がなされなかった場合、コーディック演算器１９から出力される信号は、公知のダウンサンプリング回路２４ａ，２４ｂ、直流除去回路２６、ディエンファシス回路２７、プリスケール・ミュート回路２８、デマトリクス回路２９を介してスピーカシステムに出力される。
【００３０】
従って、スピーカシステムには如何なる信号も出力されないことから、スピーカからはノイズが発せられない。また、Ｌレベルのミュート制御信号Ｓｍが供給されるとミュート回路２３が非活性化される。すると、コーディック演算器１９から出力される信号は、後段のダウンサンプリング回路２４ａに送信される。従って、スピーカシステムには復調信号が供給されることから、スピーカからは音声信号に応じた音声が出力される。
【００３１】
図３に示すように、第２復調器１３Ｂは、識別信号検出回路３０ａが設けられ、復調モード切替回路２１及びデマトリクス回路２９が設けられていないこと以外は前記第１復調器１３Ａと同じ構成である。従って、同一の部材に対して同じ符号を付すとともに、第２復調器１３Ｂについての詳細な説明を省略する。
【００３２】
そして、第２復調器１３Ｂにおいては、ＦＭ変調モードの音声波ＳＩＦを受信した場合、プリスケール・ミュート回路２８から出力される信号を第１復調器１３Ａに設けられたデマトリクス回路２９（図２参照）を介してスピーカシステムに出力されるようになっている。
【００３３】
そして、第２復調器１３Ｂにおいても、Ｈレベルのミュート制御信号Ｓｍが供給されるとミュート回路２３が活性化されミュート処理がなされる。従って、スピーカシステムに
は如何なる信号も出力されないことから、スピーカからはノイズが発せられなくなる。また、Ｌレベルのミュート制御信号Ｓｍが供給されるとミュート回路２３は非活性化される。従って、コーディック演算器１９から出力される信号は、ミュート回路２３によってミュート処理されることなく、各信号ＳＰ，ＳＡを後段のダウンサンプリング回路２４ａに送信される。従って、スピーカシステムには復調信号が供給されることから、スピーカからは音声信号に応じた音声が出力される。
【００３４】
次に、前記キャリア検出回路２２の詳細について図４に従って説明する。図４に示すように、キャリア検出回路２２は、比較回路３１、第１カウンタ３２Ａ、Ｄフリップフロップ３３、一致回路３４、第２カウンタ３２Ｂ及びアンド回路３６を備えている。
【００３５】
比較回路３１は、コーディック演算器１９から出力された前記振幅成分の信号ＳＡと設定振幅値Ａｏと入力し比較する。この設定振幅値Ａｏは、キャリア（搬送波）が存在しない、又は放送波の受信状態が良好でないために非常に弱い音声波ＳＩＦを復調した場合の復調信号の振幅強度であって予め設定されたものである。そして、設定振幅値Ａｏは、例えば、図示しないＲＯＭに記憶され、所定のタイミングで比較回路３１に読み込まれるようになっている。
【００３６】
比較回路３１は、振幅成分の信号ＳＡと設定振幅値Ａｏとを比較した結果、振幅成分の信号ＳＡが設定振幅値Ａｏ未満であると判断した場合、Ｈレベルの制御信号Ｓｖを後段の第１カウンタ３２Ａに出力する。つまり、キャリア（搬送波）が存在しない、又は放送波の受信状態が良好でないために非常に弱い音声波ＳＩＦを受信した場合、Ｈレベルの制御信号Ｓｖが出力されることとなる。また、比較回路３１は、振幅成分の信号ＳＡが設定振幅値Ａｏ以上であると判断した場合、Ｌレベルの制御信号Ｓｖを第１カウンタ３２Ａに出力する。
【００３７】
第１カウンタ３２Ａは、比較回路３１からの制御信号Ｓｖを入力する。そして、第１カウンタ３２Ａは、単位時間内にＨレベルの制御信号Ｓｖの入力数をカウントし、そのカウント値が予め決められた所定の値未満の場合にはＬレベルの制御信号Ｓｑを、カウント値が所定の値以上の場合にはＨレベルの制御信号Ｓｑを出力する。また、第１カウンタ３２Ａは、単位時間を過ぎた毎にカウント値をリセットする（「０」にする）ようになっている。
【００３８】
本実施形態の第１カウンタ３２Ａは、周波数７６８ｋＨｚのサンプリング信号Ｓｓがクロック信号として入力されるようになっている。また、周波数４ｋＨｚのリセット信号Ｒｓが入力されるようになっている。従って、第１カウンタ３２Ａは、１ミリ秒間に１９２回（＝７６８／４）、Ｈレベルの制御信号Ｓｖを検出し、制御信号ＳｖがＨレベルならば「１」加算カウントし、Ｌレベルならば加算カウントしないようになっている。そして、１９２回毎に、換言すると、０．２５ミリ秒（＝１／４ｋＨｚ）毎にそのカウント値がリセットされることとなる。そして、０．２５ミリ秒間にＨレベルの制御信号Ｓｖの入力数をカウントし、そのカウント値が「３」以上となった場合にはＨレベルの制御信号Ｓｑを、また、「３」未満の場合にはＬレベルの制御信号Ｓｑを出力する。
【００３９】
そして、第１カウンタ３２Ａから出力されたＨレベル又はＬレベルの制御信号Ｓｑは、Ｄフリップフロップ３３のＤ入力端子及び一致回路３４の一方の入力端子へ出力される。
【００４０】
Ｄフリップフロップ３３は、前記リセット信号Ｒｓと同じ信号がクロック信号CLKとし
て入力されるようになっている。本実施形態においては、４ｋＨｚの信号がクロック信号CLKとして入力されるようになっている。そして、Ｄフリップフロップ３３は、クロック
信号CLKに応じたクロック期間（本実施形態では、１／４ｋＨｚ＝０．２５ミリ秒間）毎
にそのＤ入力端子に入力した制御信号Ｓｑの内容（Ｈレベル、Ｌレベル）を出力信号Ｓｒ１としてＱ出力端子から一致回路３４の他方の入力端子及びアンド回路３６の一方の入力端子へ出力する。
【００４１】
一致回路３４は、第１カウンタ３２Ａから出力された制御信号ＳｑとＤフリップフロップ３３から出力された出力信号Ｓｒ１を比較する。そして、一致回路３４は、Ｈレベルの制御信号ＳｑとＨレベルの出力信号Ｓｒ１とが入力された場合に、Ｈレベルの制御信号Ｓｇを生成し第２カウンタ３２Ｂへ出力する。
【００４２】
また、一致回路３４は、Ｌレベルの制御信号ＳｑとＬレベルの出力信号Ｓｒ１が入力された場合、又は、制御信号Ｓｑ及び出力信号Ｓｒ１のいずれか一方がＬレベルである場合に、Ｌレベルの制御信号Ｓｇを生成し第２カウンタ３２Ｂへ出力する。前述したように、制御信号Ｓｑは、出力信号Ｓｒ１の単位時間前（本実施形態では、０．２５ミリ秒前）の信号であることから、一致回路３４は連続してＨレベルの制御信号Ｓｑを入力した場合にＨレベルの制御信号Ｓｇを出力することとなる。
【００４３】
第２カウンタ３２Ｂは、前記リセット信号Ｒｓと同じ信号がクロック信号CLKとして入
力されるようになっている。第２カウンタ３２Ｂは、一致回路３４から出力されるＨレベルの制御信号Ｓｇをカウントする。詳述すると、第２カウンタ３２Ｂは、第２カウンタ３２Ｂのカウント入力端子に制御信号Ｓｇを入力するとともに、インバータ回路３５を介してクリア入力端子に制御信号Ｓｇを入力する。そして、第２カウンタ３２Ｂは、クロック信号CLKに同期してカウント動作を行う。このとき、第２カウンタ３２Ｂは、制御信号Ｓ
ｇがＨレベルのとき、「１」加算カウントする。反対に、第２カウンタ３２Ｂは、制御信号ＳｇがＬレベルのとき、加算値（カウント値）をクリアにする。
【００４４】
そして、第２カウンタ３２Ｂは、そのカウント値が予め決められた設定カウント値未満の場合にはＬレベルの出力信号Ｓｒ２を、又、設定カウント値以上の場合にはＨレベルの出力信号Ｓｒ２をアンド回路３６の他方の入力端子へ出力する。
【００４５】
本実施形態においては、４ｋＨｚの信号がクロック信号CLKとして入力されるようにな
っている。また、本実施形態においては、第２カウンタ３２Ｂは、カウント値が「７」未満の場合にはＬレベルの出力信号Ｓｒ２を、カウント値が「７」以上の場合にはＨレベルの出力信号Ｓｒ２をアンド回路３６の他方の入力端子へ出力するように予め設定されている。つまり、第２カウンタ３２Ｂは、１．７５ミリ秒間（＝０．２５ミリ秒×７）連続してＨレベルの制御信号Ｓｇが入力されたときにＨレベルの出力信号Ｓｒ２をアンド回路３６へ出力する。
【００４６】
アンド回路３６は、一方の入力端子にＤフリップフロップ３３からの出力信号Ｓｒ１を入力し、他方の入力端子に第２カウンタ３２Ｂからの出力信号Ｓｒ２を入力する。そして、アンド回路３６は、出力信号Ｓｒ１と出力信号Ｓｒ２とがともにＨレベルの時に検出フラグ３７を「１」にしてＨレベルのミュート制御信号Ｓｍをミュート回路２３に出力する。
【００４７】
従って、キャリア検出回路２２は、設定振幅値Ａｏよりも小さい振幅成分の信号ＳＡを０．２５ミリ秒以内に３回以上の頻度で受信し、かつ、それを１．７５ミリ秒以上連続して受信した場合、キャリア（搬送波）が存在しない又は放送波の受信状態が良好でないために非常に弱い音声波ＳＩＦを受信したと判断してＨレベルのミュート制御信号Ｓｍを出力する。そして、上記以外の場合にはＬレベルのミュート制御信号Ｓｍを出力する。
【００４８】
上記したように、本実施形態によれば、以下の作用効果を奏する。
【００４９】
（１）本実施形態によれば、各第１復調器１３Ａ及び第２復調器１３Ｂ内にキャリア検出回路２２とミュート回路２３を設けた。そして、キャリア検出回路２２にてキャリア（搬送波）が無い、又は放送波の受信状態が良好でないために受信した放送波が非常に弱いと判断した場合、ミュート回路２３を活性化してミュート処理を行うようにした。この結果、キャリア（搬送波）が無い、又は放送波の受信状態が良好でないために受信した放送波が非常に弱い場合では、スピーカシステムからノイズが出力されることはない。
【００５０】
（２）本実施形態によれば、復調した復調信号に基づいて、キャリア（搬送波）が無い又は放送波の受信状態が良好でないために受信した放送波が非常に弱いと判断した場合にミュート回路２３を活性化してミュート処理を行うようにした。従って、比較的キャリア（搬送波）が小さいものであっても、例えば、ゲイン値Ｇａに基づいてＰＧＡ１１にて直ちにミュート処理を行うようにした場合に比べて、無駄なミュート処理を行うのを回避することができる。
【００５１】
（３）本実施形態によれば、キャリア検出回路２２は、設定振幅値Ａｏよりも小さい振幅成分の信号ＳＡを、０．２５ミリ秒間以内に３回以上受信し、かつ、それを１．７５ミリ秒以上連続で受信した場合、キャリア検出回路２２はミュート回路２３を活性化させるようにした。従って、設定振幅値Ａｏよりも小さい振幅成分の信号ＳＡを０．２５ミリ秒間以内に３回以上受信し、かつ、それを１．７５ミリ秒以上連続で受信した音声波ＳＩＦを、キャリア（搬送波）が存在しない又は放送波の受信状態が良好でなく非常に弱い信号を受信したとしてミュート処理を行うことができる。
【００５２】
（４）本実施形態によれば、第１復調器１３Ａは、復調モード制御部２１ａから出力される切替制御信号Ｓｋによって、受信した音声波ＳＩＦを、ＡＭ復調モード又はＦＭ復調モードに切り替えて復調するようにした。そして、各復調モード時にて、キャリア（搬送波）が無いと判断した場合、ミュート回路２３が活性化されるようにした。従って、ＡＭ復調モード及びＦＭ復調モードを切り替えて使用することができる受信装置において、キャリア（搬送波）が無い場合、又は放送波の受信状態が良好でないために受信した放送波が非常に弱い場合、ノイズを出力しないようにすることができる。
【００５３】
尚、この発明は以下のように変更して具体化することもできる。
【００５４】
上記実施形態では、キャリア検出回路２２は、設定振幅値Ａｏよりも小さい振幅成分の信号ＳＡを、０．２５ミリ秒間以内に３回以上受信し、かつ、それを１．７５ミリ秒以上連続で受信した場合、キャリア検出回路２２はミュート回路２３を活性化させるようにしたが、本発明はこれに限定されるものではない。例えば、設定振幅値Ａｏよりも小さい振幅成分の信号ＳＡを、０．２５ミリ秒間以内に２回以上受信し、かつ、それを１．７５ミリ秒以上連続で受信した場合であってもよい。また、設定振幅値Ａｏよりも小さい振幅成分の信号ＳＡを、０．２５ミリ秒間以内に３回以上受信し、かつ、それを１．００ミリ秒以上連続で受信した場合であってもよい。
【００５５】
このようにすることによって、キャリア（搬送波）が無い、又は放送波の受信状態が良好でないために受信した放送波の条件をより厳しくすることができる。
【００５６】
上記実施形態では、受信装置１０は、ＦＭ変調モード及びＡＭ変調モードにて受信した音声波ＳＩＦを復調可能な第１復調器１３Ａと、ＦＭ変調モードにて受信した音声波ＳＩＦを復調可能な第２復調器１３Ｂとを備えたが、本発明はこれに限定されるものではない。例えば、第１復調器１３Ａのみ、又は第２復調器１３Ｂのみを備えた受信機であってもよい。
【００５７】
・上記実施形態では、第１復調器１３Ａは、ＦＭ変調モード及びＡＭ変調モードにて受信した音声波ＳＩＦを復調可能としたが、本発明はこれに限定されるものではない。例えば、ＦＭ変調モードのみで受信した音声波ＳＩＦを復調する復調器としてもよい。
【図面の簡単な説明】
【００５８】
【図１】本実施形態に係る受信装置の構成を説明するためのブロック図。
【図２】第１復調器の構成を説明するためのブロック図。
【図３】第２復調器の構成を説明するためのブロック図。
【図４】キャリア検出回路の構成を説明するためのブロック図。
【符号の説明】
【００５９】
１０…受信装置、１１…増幅器としてのプログラマブルゲインコントロール増幅器、１３Ａ…復調器としての第１復調器、１３Ｂ…復調器としての第２復調器、２２…キャリア検出回路、２３…ミュート回路、３２Ａ…第１カウンタ、３２Ｂ…第２カウンタ。
【図１】
2008042760.tif 000003
【図２】
2008042760.tif 000004
【図３】
2008042760.tif 000005
【図４】
2008042760.tif 000006